(57)【要約】      （修正有）【課題】発泡スチロール板からなる水耕栽培用プレートにおける汚れや劣化の問題、および二枚のプラスチックシートを貼り合わせた水耕栽培用プレートにおける貼り合わせ不良の問題を解決することのできる水耕栽培用プレートを提供する。【解決手段】培養液槽８１における幅方向両側の側壁８１Ａ、８１Ｂの上面８４Ａ、８４Ｂに、幅方向両側の縁２５Ａ、２５Ｂが載置される水耕栽培用プレート１０であって、水耕栽培用プレートは、植物の植え付け孔を有し、幅方向の縁２５Ａ、２５Ｂに、培養液槽における幅方向へ水耕栽培用プレートがずれるのを防止するためのずれ防止部２１Ａ、２１Ｃを有する。【選択図】図５
0003220817.tif 000002
【実用新案登録請求の範囲】
【請求項１】
培養液槽における幅方向両側の側壁の上面に、幅方向両側の縁が載置される水耕栽培用プレートであって、
前記水耕栽培用プレートは、植物の植え付け孔を有し、前記幅方向の縁付近には、前記培養液槽における幅方向へ前記水耕栽培用プレートがずれるのを防止するずれ防止部を有することを特徴とする水耕栽培用プレート。
【請求項２】
前記水耕栽培用プレートのずれ防止部は、前記水耕栽培用プレートの幅方向両側の縁付近に下向きに形成された突部からなり、
前記突部は、前記培養液槽における幅方向へ前記水耕栽培用プレートがずれようとすると、前記培養液槽における幅方向の側壁に当たって、前記水耕栽培用プレートが、前記培養液槽の幅方向へずれるのを抑え、かつ前記水耕栽培用プレートが前記培養液槽における長さ方向への移動を妨げないことを特徴とする請求項１に記載の水耕栽培用プレート。
【請求項３】
前記水耕栽培用プレートのずれ防止部は、前記培養液槽における幅方向の両側の側壁の内側となる位置に設けられ、前記培養液槽における幅方向へ前記水耕栽培用プレートがずれようとすると、前記培養液槽において前記水耕栽培用プレートのずれ方向に位置する側壁の内面に当たって、前記水耕栽培用プレートが、前記培養液槽の幅方向へずれるのを防止することを特徴とする請求項１または２に記載の水耕栽培用プレート。
【請求項４】
前記水耕栽培用プレートのずれ防止部は、前記培養液槽における幅方向の両側の側壁の外側となる位置に設けられ、前記培養液槽における幅方向へ前記水耕栽培用プレートがずれようとすると、前記培養液槽において前記水耕栽培用プレートのずれ方向に位置する側壁の外面に当たって、前記水耕栽培用プレートが、前記培養液槽の幅方向へずれるのを防止することを特徴とする請求項１または２に記載の水耕栽培用プレート。
【請求項５】
前記水耕栽培用プレートは、一枚のプラスチックシートに、前記植物の植え付け孔と前記ずれ防止部が形成されていることを特徴とする請求項１から４の何れか一項に記載の水耕栽培用プレート。
【考案の詳細な説明】
【技術分野】
【０００１】
本考案は、培養液槽における幅方向両側の側壁上面に縁が載置される水耕栽培用プレートに関する。
【背景技術】
【０００２】
従来、植物が植えられた水耕栽培用プレートを培養液に浮かべて植物を栽培する水耕栽培が行われている。
水耕栽培用プレートとしては、植え付け孔が複数形成された発泡スチロール板からなるものが一般的である（特許文献１）。
【先行技術文献】
【特許文献】
【０００３】
【特許文献１】特開２００９−１７１９４４号公報
【考案の概要】
【考案が解決しようとする課題】
【０００４】
発泡スチロール板からなる水耕栽培用プレートは、発泡スチロールに起因する微細な凹凸が表面に存在するため、表面の微細な凹凸に汚れが入り込み、丁寧に洗っても汚れが取れなくなったり、微細な凹凸に入り込んで取れなくなった汚れなどによって細菌が繁殖しやすくなったりする問題がある。
【０００５】
また、発泡スチロール板からなる水耕栽培用プレートは、使用中の劣化により脆くなるため、高圧水の吹きつけによる洗浄時に欠けたり、割れたりし易い問題がある。さらに、発泡スチロール板は使用期間が長くなると、表面に触れた際に白い粉が付着したりするようになるため、水耕栽培用プレートに植えられた植物に白い粉が付着するおそれがある。そのため、発泡スチロール板からなる水耕栽培用プレートは、使用期間が短く、コストが嵩む問題がある。
【０００６】
前記発泡スチロール板による問題を解決するため、二枚のプラスチックシートを一部に空間を残して貼り合わせることにより、培養液上に配置した際に浮かぶようにした水耕栽培用プレートが提案されている。
【０００７】
しかし、二枚のプラスチックシートを貼り合わせた水耕栽培用プレートは、水が空間内部に侵入しないように貼り合わせるのが難しく、貼り合わせ不良を生じ易い問題がある。
【０００８】
本考案は前記の点に鑑みなされたものであって、発泡スチロールによる汚れや劣化の問題、および二枚のプラスチックシートを貼り合わせる場合における貼り合わせ不良の問題を解決することのできる水耕栽培用プレートの提供を目的とする。
【課題を解決するための手段】
【０００９】
請求項１の考案は、培養液槽における幅方向両側の側壁の上面に、幅方向両側の縁が載置される水耕栽培用プレートであって、前記水耕栽培用プレートは、植物の植え付け孔を有し、前記幅方向の縁付近には、前記培養液槽における幅方向へ前記水耕栽培用プレートがずれるのを防止するずれ防止部を有することを特徴とする。
【００１０】
請求項２の考案は、請求項１において、前記水耕栽培用プレートのずれ防止部は、前記水耕栽培用プレートの幅方向両側の縁付近に下向きに形成された突部からなり、前記突部は、前記培養液槽における幅方向へ前記水耕栽培用プレートがずれようとすると、前記培養液槽における幅方向の側壁に当たって、前記水耕栽培用プレートが、前記培養液槽の幅方向へずれるのを抑え、かつ前記水耕栽培用プレートが前記培養液槽における長さ方向への移動を妨げないことを特徴とする。
【００１１】
請求項３の考案は、請求項１または２において、前記水耕栽培用プレートのずれ防止部は、前記培養液槽における幅方向の両側の側壁の内側となる位置に設けられ、前記培養液槽における幅方向へ前記水耕栽培用プレートがずれようとすると、前記培養液槽において前記水耕栽培用プレートのずれ方向に位置する側壁の内面に当たって、前記水耕栽培用プレートが、前記培養液槽の幅方向へずれるのを防止することを特徴とする。
【００１２】
請求項４の考案は、請求項１または２において、前記水耕栽培用プレートのずれ防止部は、前記培養液槽における幅方向の両側の側壁の外側となる位置に設けられ、前記培養液槽における幅方向へ前記水耕栽培用プレートがずれようとすると、前記培養液槽において前記水耕栽培用プレートのずれ方向に位置する側壁の外面に当たって、前記水耕栽培用プレートが、前記培養液槽の幅方向へずれるのを防止することを特徴とする。
【００１３】
請求項５の考案は、請求項１から４の何れか一項において、前記水耕栽培用プレートは、一枚のプラスチックシートに、前記植物の植え付け孔と前記ずれ防止部が形成されていることを特徴とする。
【考案の効果】
【００１４】
本考案の水耕栽培用プレートは、培養液槽における幅方向両側の側壁の上面に、幅方向両側の縁が載置され、培養液の上方に位置することにより、培養液に浮かべる必要がなくなり、従来のような発泡スチロール板や、一部の空間を残して二枚のプラスチックシートの貼り合わせたものを使用する必要がない。
【００１５】
そのため、本考案の水耕栽培用プレートは、発泡スチロールからなる従来の水耕栽培用プレートにおける汚れや劣化の問題、および一部に空間を残して二枚のプラスチックシートを貼り合わせた従来の水耕栽培用プレートにおける貼り合わせ不良の問題を生じることがない。
【００１６】
また、本考案の水耕栽培用プレートは、幅方向の縁に、培養液槽における幅方向へ水耕栽培用プレートがずれるのを防止するずれ防止部を有することにより、作業等の際に水耕栽培用プレートが幅方向へずれようとしても、ずれるのが防止される。
そのため、水耕栽培用プレートが幅方向へずれることによって、ずれ方向とは反対側の端が培養液槽の側壁上面から外れて培養液中に落下することが防がれ、良好に作業することができる。
【図面の簡単な説明】
【００１７】
【図１】本考案の一実施形態に係る水耕栽培用プレートの正面図（上側面の図）である。
【図２】図１の水耕栽培用プレートのＡ−Ａ断面〜Ｅ−Ｅ断面を示す図である。
【図３】図１の水耕栽培用プレートのＦ−Ｆ断面〜Ｊ−Ｊ断面を示す図である。
【図４】図１の水耕栽培用プレートの使用時を示す斜視図である。
【図５】図４のＫ−Ｋ断面を示す図である。
【考案を実施するための形態】
【００１８】
本考案の一実施形態に係る水耕栽培用プレートについて説明する。図１〜図３に示す本考案の一実施形態に係る水耕栽培用プレート１０は、図４及び図５に示すように、培養液槽８１の幅方向両側の側壁８１Ａ、８１Ｂの上面８４Ａ、８４Ｂに、水耕栽培用プレート１０の幅方向両側の縁２５Ａ、２５Ｂが載置されて使用される。
【００１９】
培養液槽８１は、底面と側壁とで囲まれた略直方体形状からなり、上面が開口した形状からなる。培養液槽８１の長さ方向と幅方向は、培養液槽８１の正面（上面）形状である長方形において、長い辺に沿う方向を長さ方向といい、短い辺に沿う方向を幅方向という。また、水耕栽培用プレートの長さ方向は、培養液槽８１の長さ方向と対応する方向（平行な方向）をいい、水耕栽培用プレートの幅方向は、培養液槽８１の幅方向と対応する方向（平行な方向）をいう。培養液槽８１の長さ方向の寸法は、水耕栽培用プレート１０をその長さ方向に複数枚並べて培養液槽８１の幅方向両側の側壁８１Ａ、８１Ｂの上面８４Ａ、８４Ｂに、水耕栽培用プレート１０の幅方向両側の縁２５Ａ、２５Ｂを載置可能な寸法からなる。水耕栽培用プレート１０の幅方向の寸法は、培養液槽８１の幅方向の寸法とほぼ同一、あるいは所定量小からなる。培養液槽８１には、培養液８６が収容される。
【００２０】
水耕栽培用プレート１０は、平面視形状が略四角形からなり、そのサイズは、培養液槽８１及び栽培する植物等によって決定されるものであり、例として幅方向の寸法が６８６ｍｍ、長さ方向の寸法が５５７ｍｍからなる。
【００２１】
水耕栽培用プレート１０は、一枚のプラスチックシートからなり、プラスチックシートの中央側に、複数の植物の植え付け孔１５が所定間隔で形成されている。この実施形態では、複数の植物の植え付け孔１５は、水耕栽培用プレート１０の幅方向と長さ方向に対してそれぞれ平行な列状に所定間隔で形成されている。植物の植え付け孔１５は、底面が開口した下向きの筒状からなる。植物の植え付け孔１５には、植物の基部が上方から収容され、植物の植え付け孔１５の下端から植物の根が突出して培養液槽８１の培養液８６と接触する。植物の植え付け孔１５の径は、植え付ける植物の種類に応じて適宜のサイズにされる。例として３０ｍｍ〜５０ｍｍ程度を示す。
【００２２】
複数の植物の植え付け孔１５の間には、補強用リブ１７が上向きの格子状に形成されている。補強用リブ１７の端１７Ａは、水耕栽培用プレート１０の周縁の端１９から所定距離内側の位置とされる。
【００２３】
水耕栽培用プレート１０は、水耕栽培用プレート１０の幅方向両側の端１９Ａ、１９Ｂから所定距離離れた内側の位置に、水耕栽培用プレート１０の幅方向両側で各２個、合計４個のずれ防止部２１Ａ、２１Ｂ、２１Ｃ、２１Ｄが、水耕栽培用プレート１０の長さ方向に互いに離して設けられている。ずれ防止部２１Ａ、２１Ｂ、２１Ｃ、２１Ｄは、培養液槽８１における幅方向へ前記水耕栽培用プレート１０がずれるのを防止するものである。
【００２４】
本実施形態におけるずれ防止部２１Ａ、２１Ｂ、２１Ｃ、２１Ｄは、水耕栽培用プレート１０の下面から下方へ突出した突部からなる。ずれ防止部２１Ａ、２１Ｂ、２１Ｃ、２１Ｄを構成する突部は、本実施形態では略楕円形の筒部（底面を有する）からなるが、それに限られるものではなく、底面なし、あるいは円形の筒状（底面有り、または底面無し）等であってもよい。
【００２５】
水耕栽培用プレート１０の幅方向の両側において、端１９Ａ、１９Ｂからずれ防止部２１Ａ、２１Ｂ、２１Ｃ、２１Ｄまでの部分２５Ａ、２５Ｂが、培養液槽８１の幅方向両側の側壁８１Ａ、８１Ｂの上面８４Ａ、８４Ｂに載置される水耕栽培用プレート１０の縁２５Ａ、２５Ｂに相当する。水耕栽培用プレート１０の縁２５Ａ、２５Ｂは、水耕栽培用プレート１０の幅方向の両側において長さ方向に沿って設けられる。また、水耕栽培用プレート１０における縁２５Ａ、２５Ｂの幅は適宜決定されるが、例として１５〜３０ｍｍ程度を挙げる。
【００２６】
本実施形態では、図４及び図５に示すように、水耕栽培用プレート１０の幅方向両側の縁２５Ａ、２５Ｂが、培養液槽８１の幅方向両側の側壁８１Ａ、８１Ｂの上面８４Ａ、８４Ｂに載置された水耕栽培用プレート１０の使用状態において、幅方向両側のずれ防止部２１Ａ、２１Ｂ、２１Ｃ、２１Ｄは、培養液槽８１の幅方向両側の側壁８１Ａ、８１Ｂの内側に位置し、水耕栽培用プレート１０が幅方向へずれようとした際に、ずれ方向に位置する培養液槽８１の側壁８１Ａまたは８１Ｂの内面に当たって、水耕栽培用プレート１０の幅方向へのずれを防止する。また、ずれ防止部２１Ａ、２１Ｂ、２１Ｃ、２１Ｄは、水耕栽培用プレート１０が培養液槽８１の長さ方向への移動するのを妨げないようになっている。
【００２７】
水耕栽培用プレート１０におけるずれ防止部２１Ａ、２１Ｂ、２１Ｃ、２１Ｄの位置は、水耕栽培用プレート１０が幅方向へずれて、ずれ防止部２１Ａ、２１Ｂ、２１Ｃ、２１Ｄが、培養液槽８１の幅方向両側の側壁８１Ａまたは８１Ｂの内面に当たった際に、水耕栽培用プレートにおけるずれ方向とは反対側の端１９Ａまたは１９Ｂが、培養液槽８１の側壁８１Ａの上面８４Ａ、または側壁８１Ｂの上面８４Ｂに存在し、培養液槽８１の側壁８１Ａの上面８４Ａ、または側壁８１Ｂの上面８４Ｂから落下しないようにできる位置とされる。
【００２８】
また、水耕栽培用プレート１０は、長さ方向両側の端付近に連結部３１Ａ、３１Ｂが形成されている。連結部３１Ａ、３１Ｂは、長さ方向に隣り合う他の水耕栽培用プレート１０との連結に使用される。一方の連結部３１Ａは孔からなり、他方の連結部３１Ｂは下方へ突出した突部からなる。一方の連結部３１Ａの孔に、隣り合う他の水耕栽培用プレート１０に形成されている連結部３１Ｂの突部が嵌まることにより、長さ方向に複数の水耕栽培用プレートが連結され、その連結された状態で複数の水耕栽培用プレート１０を、培養液槽８１内を長さ方向へ移動させることができる。
【００２９】
水耕栽培用プレート１０に形成されるプラスチックシートは、真空成形可能なプラスチックシートからなり、真空成形によって植物の植え付け孔１５、補強用リブ１７、ずれ防止部２１Ａ、２１Ｂ、２１Ｃ、２１Ｄ及び突部からなる連結部３１Ｂが形成されている。なお、植物の植え付け孔１５は、有底の筒状に真空成形した後に底面を打ち抜くことにより、底面が開口した筒状に形成することができる。また、孔からなる連結部３１Ａは、打ち抜きによって形成することができる。
【００３０】
プラスチックシートとしては、真空成形可能な材質であれば限定されないが、特にポリプロピレンシートが好ましい。また、プラスチックシートは、長期使用による劣化を抑えるための紫外線吸収剤と、細菌の増殖を抑えるための抗菌剤を含むものが好ましい。プラスチックシートの厚みは、例として２〜４ｍｍ程度を示す。
【００３１】
なお、水耕栽培用プレート１０のずれ防止部２１Ａ、２１Ｂ、２１Ｃ、２１Ｄは、培養液槽８１の幅方向両側の側壁８１Ａ、８１Ｂの内側となるように設けられる場合に限られず、培養液槽８１の幅方向両側の側壁８１Ａ、８１Ｂの外側となる位置に設けられ、培養液槽８１における幅方向へ水耕栽培用プレートがずれようとした際に、ずれ防止部が、培養液槽８１において水耕栽培用プレートのずれ方向に位置する側壁８１Ａまたは８１Ｂの外面に当たって、水耕栽培用プレートの幅方向へのずれを防止するようにしてもよい。
【００３２】
このように、本考案の水耕栽培用プレートは、発泡スチロールによる汚れや劣化の問題、および二枚のプラスチックシートを貼り合わせる場合における貼り合わせ不良の問題を解決することができる。
【符号の説明】
【００３３】
１０  水耕栽培用プレート
１５  水耕栽培用プレートにおける植え付け孔
１７  水耕栽培用プレートにおける補強用リブ
１７Ａ  水耕栽培用プレートにおける補強用リブの端
１９  水耕栽培用プレートの周縁の端
１９Ａ、１９Ｂ  水耕栽培用プレートの幅方向両側の端
２１Ａ、２１Ｂ、２１Ｃ、２１Ｄ  水耕栽培用プレートにおけるずれ防止部
２５Ａ、２５Ｂ  培養液槽の幅方向両側の側壁の上面に載置される水耕栽培用プレートの幅方向の縁
３１Ａ、３１Ｂ  水耕栽培用プレートにおける連結部
８１  培養液槽
８１Ａ、８１Ｂ  培養液槽の幅方向両側に位置する側壁
８４Ａ、８４Ｂ  培養液槽の幅方向両側に位置する側壁の上面
８６  培養液
【図１】
0003220817.tif 000003
【図２】
0003220817.tif 000004
【図３】
0003220817.tif 000005
【図４】
0003220817.tif 000006
【図５】
0003220817.tif 000007